(57)【要約】      （修正有）【課題】衣類吊り下げスペースに簡単に取り付け及び取り外しできるスライド式掛止具を提供する。【解決手段】スライド式掛止具１は、支持部材２と、前記支持部材２にスライド可能に設けられた掛け部５１を有する掛け部材５と、を有し、前記支持部材２には、衣類吊り下げスペースのパイプ９１に係止可能な係止部６と、衣類吊り下げスペースの壁面９２に当接可能な当て部であって前記係止部６とは反対側に配置された当て部７と、が設けられている。【選択図】図７
2020168264.tif 000002
【特許請求の範囲】
【請求項１】
支持部材と、前記支持部材にスライド可能に設けられた掛け部を有する掛け部材と、を有し、
前記支持部材には、衣類吊り下げスペースのパイプに係止可能な係止部と、衣類吊り下げスペースの壁面に当接可能な当て部であって前記係止部とは反対側に配置された当て部と、が設けられている、スライド式掛止具。
【請求項２】
前記当て部が、壁面に当てる接地面を有し、側面視で前記接地面と前記支持部材が鋭角を成すように、前記支持部材の端部に取り付けられており、
前記支持部材の係止部が、前記パイプに係止可能なフック状である、請求項１に記載のスライド式掛止具。
【請求項３】
前記掛け部材が、側面視で角度調整可能に前記支持部材に取り付けられている、請求項１または２に記載のスライド式掛止具。
【発明の詳細な説明】
【技術分野】
【０００１】
本発明は、クローゼットやキャビネットなどの衣類吊り下げスペースのパイプに取り付けて使用されるスライド式掛止具に関する。
【背景技術】
【０００２】
従来、衣服やネクタイなどを吊り下げて収納するための衣類吊り下げスペースとして、クローゼット、洋服ダンス、キャビネットなどの収納家具などが用いられている。また、家具以外でも、例えば、押入れなどに衣類を吊り下げるためのパイプを取り付け、押し入れを衣類吊り下げスペースとして利用している場合もある。通常、前記パイプに衣類を掛けたハンガーを吊り下げて、衣類吊り下げスペースに衣類を収納していく。
また、特許文献１には、押入れなどの対向する壁面間に取り付けられるスライド式ハンガー掛けが開示されている。
かかるスライド式ハンガー掛けは、対向する壁面間に水平に取り付けられる支柱と、支柱に沿って前後方向にスライド自在に支持されたハンガー掛け本体とを備え、ハンガー掛け本体は樹脂で前後方向に延びるプレート状に一体成形され、その上辺部には支柱に摺動自在に挿通される支持環が一体に形成され、下辺部にはフックを前後方向にスライド自在に支持するレール部が一体に形成され、中間部には前後方向に複数の引っ掛け穴が形成されている。
【先行技術文献】
【特許文献】
【０００３】
【特許文献１】実開平６−００９５７４号公報
【発明の概要】
【０００４】
しかしながら、特許文献１のスライド式ハンガー掛けは、支柱の両端部を木ネジを用いて壁面に固定するため、簡単に取り付けることができず、また、その設置場所を容易に変更することができない。
なお、支柱と壁面の間にいわゆる突っ張り棒を介在させることにより、壁面間において支柱を突っ張らせて支柱を壁面間に取り付けることも考えられるが、衣類を多く掛けて支柱に大きな荷重が加わったときに、ハンガー掛けの全体が脱落するおそれがある。
【発明が解決しようとする課題】
【０００５】
本発明の目的は、衣類吊り下げスペースに簡単に取り付け及び取り外しできるスライド式掛止具を提供することであり、さらに、脱落し難いスライド式掛止具を提供することである。
【課題を解決するための手段】
【０００６】
本発明のスライド式掛止具は、支持部材と、前記支持部材にスライド可能に設けられた掛け部を有する掛け部材と、を有し、前記支持部材には、衣類吊り下げスペースのパイプに係止可能な係止部と、衣類吊り下げスペースの壁面に当接可能な当て部であって前記係止部とは反対側に配置された当て部と、が設けられている。
【０００７】
本発明の好ましいスライド式掛止具は、前記当て部が、壁面に当てる接地面を有し、側面視で前記接地面と前記支持部材が鋭角を成すように、前記支持部材の端部に取り付けられており、前記支持部材の係止部が、前記パイプに係止可能なフック状である。
本発明の好ましいスライド式掛止具は、前記掛け部材が、側面視で角度調整可能に前記支持部材に取り付けられている。
【発明の効果】
【０００８】
本発明のスライド式掛止具は、衣類吊り下げスペースのパイプを利用して、簡単に取り付け及び取り外しできる。
衣類吊り下げスペースのパイプに取り付けたスライド式掛止具は、掛け部を引き出して衣類などの物品を掛け、その掛け部を再び衣類吊り下げスペースに収納することができる。
【図面の簡単な説明】
【０００９】
【図１】第１実施形態に係るスライド式掛止具の斜視図。
【図２】同スライド式掛止具の左側面図。
【図３】同スライド式掛止具の右側面図。
【図４】同スライド式掛止具の正面図（前方側から見た図）。
【図５】同スライド式掛止具の支持部材の一部を断面で表した断面を含む一部省略左側面図。
【図６】支持部材の副桿をスライドさせた状態を示す断面を含む一部省略左側面図。
【図７】同スライド式掛止具の使用状態を示す斜視図。
【図８】同スライド式掛止具の使用状態を示す左側面図。
【図９】掛け部材の掛け具を引き出した状態を示す左側面図。
【図１０】第２実施形態に係るスライド式掛止具の斜視図。
【図１１】同スライド式掛止具の左側面図。
【図１２】同スライド式掛止具の右側面図。
【図１３】同スライド式掛止具の正面図（前方側から見た図）。
【図１４】同スライド式掛止具の支持部材の一部を断面で表した断面を含む一部省略左側面図。
【図１５】分解斜視図。
【図１６】同スライド式掛止具の第１の使用状態を示す左側面図。
【図１７】同スライド式掛止具の第２の使用状態を示す左側面図。
【図１８】他の実施形態のスライド式掛止具の斜視図。
【発明を実施するための形態】
【００１０】
以下、本発明の好ましい実施形態について、図面を参照しつつ具体的に説明する。
なお、本明細書において、方向性を示す用語として、「後」は、スライド式掛止具を衣類吊り下げスペースに取り付けた際に、衣類吊り下げスペースの壁面側となる方向を指し、「前」は、その反対方向を指し、「上」は、衣類吊り下げスペースの天面側となる方向を指し、「下」は、その反対方向を指す。
また、本明細書において、「下限値Ｘ〜上限値Ｙ」で表される数値範囲は、下限値Ｘ以上上限値Ｙ以下を意味する。前記数値範囲が別個に複数記載されている場合、任意の下限値と任意の上限値を選択し、「任意の下限値〜任意の上限値」を設定できるものとする。
【００１１】
［第１実施形態］
本実施形態のスライド式掛止具１は、図１乃至図５に示すように、支持部材２と、支持部材２にスライド可能に設けられた掛け部５１を有する掛け部材５と、を有する。
支持部材２は、衣類吊り下げスペースの壁面とパイプの間に跨がって取り付けられる部材であり、掛け部材５の掛け部５１は、衣類などの任意の物品を掛けるための部材である。
支持部材２は、棒状の主桿３と、前記主桿３に出退可能に設けられた棒状の副桿４と、を有する。
支持部材２には、衣類吊り下げスペースのパイプに係止可能な係止部６と、衣類吊り下げスペースの壁面に当接可能な当て部であって前記係止部６とは反対側に配置された当て部７と、が設けられている。
【００１２】
支持部材２の副桿４は、主桿３に出退可能に連結されている。副桿４は、棒状の第１桿４１と、第１桿４１の後方に接続された第２桿４２と、を有する。
主桿３及び副桿４の第１桿４１は、いずれも中空棒状の部材（例えば管材）から構成されており、いずれも直線状である。例えば、副桿４の第１桿４１の外径は、主桿３の内径よりも小さく、図５に示すように、第１桿４１は、主桿３の後方開口部から主桿３の内部に挿通されている。第１桿４１は主桿３の前後方向に出退可能に連結されており、従って、副桿４（第１桿４１）は、主桿３の前後方向にスライド移動可能である。なお、副桿４の第１桿４１の内径が主桿３の外径よりも大きく、副桿４の第１桿４１が主桿３の外側に挿通されることよって、副桿４が主桿３に出退可能に連結されていてもよい（図示せず）。
主桿３及び副桿４の第１桿４１の形成材料は、特に限定されず、例えば、鉄などの金属管、硬質合成樹脂製の管などを用いることができる。主桿３の前方開口部には、キャップ部３２が嵌合され、管体からなる主桿３の前方開口部は閉塞されている。
【００１３】
主桿３の一部分（例えば後方部）には、副桿４の動きを止めるための副桿固定部３１が設けられている。図示例では、副桿固定部３１は、主桿３に螺合された副桿固定用ネジから構成されている。副桿固定用ネジを締め付けていくことにより、その先端部が副桿４の第１桿４１の周面に当たり、第１桿４１が主桿３の内面に強く押圧される。この副桿固定用ネジの締め付けにより、副桿４の第１桿４１が主桿３に対して固定され、出退不能となる。副桿固定用ネジを緩めることにより、副桿４を主桿３から外側（後側）に引き出す又は副桿４を主桿３（前側）に押し込むことができる。このようにして、主桿３から突出する副桿４の突出長さを調整できる。副桿４の突出長さを調整することは、支持部材２の軸芯方向長さを調整することに等しい。支持部材２の軸芯方向長さを調整することにより、係止部６と当て部７との間の距離を調整できる。
図６は、図５の状態の副桿４を、前側に押し込んでスライドさせた後の状態を示している。
【００１４】
副桿４の第２桿４２は、例えば、中実棒状の部材（例えば線材）から構成されており、好ましくは直線棒状の部材である。第２桿４２の形成材料は、特に限定されず、例えば、鉄などの金属線材、硬質合成樹脂製の線材などを用いることができる。
第２桿４２の周面には、ネジ部が刻設されている。第２桿４２は、図５に示すように、第１桿４１の後方開口部に固定された筒部４１１に挿通されている。筒部４１１の内径は、第２桿４２の外径よりも僅かに大きい。第１桿４１の内径は第２桿４２の外径よりも十分に大きく、筒部４１１は、前記第２桿４２と第１桿４１の径差による遊びを小さくするために、第１桿４１の後方開口部に嵌合されている。第２桿４２は、前記筒部４１１を通じて第１桿４１の内部に挿通されている。従って、第２桿４２は、第１桿４１の軸芯方向に自由に出退可能な状態で挿通されている。また、第２桿４２の前端部には、第２桿４２が第１桿４１から脱け出ないようにするための抜け止め部４２１が設けられている。この抜け止め部４２１の外径は第１桿４１の内径よりも僅かに小さい。前記筒部４１１と抜け止め部４２１によって、第２桿４２は、第１桿４１の軸芯方向に安定的に出退可能である。
【００１５】
また、第２桿４２の周面には、自在ナット４３が螺合されている。また、自在ナット４３と第１桿４１の後端部の間には、スプリングバネ４４が介在されている。自在ナット４３を締め付けることにより、自在ナット４３と第１桿４１の後端部の間の距離を小さくすることにより、スプリングバネ４４が自在ナット４３を後側へと付勢し、自在ナット４３が螺合されている第２桿４２が、自在ナット４３を介してスプリングバネ４４によって後側へと付勢される。
この自在ナット４３を締め付けていくと（第１桿４１側に向かうように自在ナット４３を第２桿４２のネジ部に従って回していくと）、第１桿４１の後端部から後方に突出する第２桿４２の突出長さを適宜調整できる。つまり、自在ナット４３を第１桿４１側に締め付けていくことにより、第２桿４２が第１桿４１から引き出されていき、第１桿４１から突出する第２桿４２の突出長さが大きくなり、反対側に自在ナット４３を回していくことにより、第１桿４１の後端部から後方に突出する第２桿４２の突出長さが小さくなる。このように自在ナット４３の締め又は緩めにより、第２桿４２の突出長さを調整し、主桿３から突出する副桿４の突出長さを調整できる（つまり、支持部材２の軸芯方向長さを調整できる）。
【００１６】
当て部７は、副桿４の後端部（支持部材２の後端部）に設けられている。第１桿４１及び第２桿４２からなる副桿４においては、当て部７は、第２桿４２の後端部に設けられている。
当て部７は、例えば、衣類吊り下げスペースの壁面に当てる接地面７ａを有する板状の本体部７１と、前記本体部７１の上下端部に嵌合された化粧キャップ部７２と、を有する。
本体部７１の裏面には、滑り止め用の薄いゴムシート７３が積層されており、このゴムシート７３の裏面が接地面７ａとされている。また、化粧キャップ部７２は、滑り止めも兼ねており、例えば、ゴム、プラスチックなどから形成されている。本体部７１の形成材料は、特に限定されず、例えば、鉄などの金属板、硬質合成樹脂製の板体などを用いることができる。
なお、符号７４は、ゴム製のクッション材であり、必要に応じて設けられる。
【００１７】
当て部７は、副桿４の後端部に固定的に取り付けられている。
当て部７は、その接地面７ａと副桿４の軸芯方向が略直交するように、副桿４に取り付けられていてもよいが、好ましくは、図２に示すように、側面視で接地面７ａと副桿４の軸芯方向（支持部材２の軸芯方向）が鋭角を成すように、副桿４に取り付けられている。前記接地面７ａと副桿４の軸芯方向Ｌの成す角度αは、鋭角であれば特に限定されないが、例えば、４５度以上９０度未満であり、好ましくは６０度〜８８度であり、より好ましくは、８０度〜８５度である。接地面７ａが副桿４の軸芯方向に対して鋭角を成して当て部７が副桿４に設けられていることにより、スライド式掛止具１がパイプから脱落し難くなる。
【００１８】
係止部６は、主桿３（支持部材２）に設けられている。係止部６は、当て部７とは反対側において主桿３に固定的に取り付けられている。換言すると、当て部７は、係止部６とは反対側に設けられている。
例えば、係止部６は、主桿３（支持部材２）の前方部に固定的に取り付けられている。
係止部６は、衣類吊り下げスペースのパイプに係止できることを条件として、その形状は特に限定されないが、パイプに容易に係止できることからフック状であることが好ましい。
フック状の係止部６は、一部分に差し入れ用の開放部を有する一部開放型環体からなる。具体的には、フック状の係止部６は、第１脚棒６１と、第１脚棒６１に対向した第２脚棒６２であって第１脚棒６１よりも短い第２脚棒６２と、第１脚棒６１の一端部と第２脚棒６２の一端部の間に架橋された架橋棒６３と、第１脚棒６１の反対端部と第２脚棒６２の反対端部の間に確保された開放部６４と、を有する。第２脚部は、第１脚部と略平行に配置されていることが好ましい。
図示例では、フック状の係止部６は、側面視略Ｕ字状（或いは側面視略Ｃ字状）の線材から形成されている。また、前記フック状の係止部６は、所定間隔を開けて左右一対設けられている。
フック状の係止部６は、図２に示すように、前方斜め方向に開放部６４が向けられた状態で、第１脚棒６１の反対端部が主桿３に固定されている。図示例では、第１脚棒６１は、主桿３に対して鋭角状に延びている。前記第１脚棒６１が主桿３に対して鋭角を成して取り付けられている場合、第１脚棒６１と主桿３の軸芯方向（支持部材２の軸芯方向）の成す角度βは、特に限定されないが、例えば、１５度〜７０度であり、好ましくは、２０度〜６０度であり、より好ましくは、２５度〜４５度である。このような角度でフック状の係止部６が取り付けられていることにより、フック状の係止部６をパイプに係止させ易くなる。
【００１９】
前記掛け部材５は、支持部材２の下方部に設けられている。
掛け部材５は、保持桿５２と、前記保持桿５２に出退可能に設けられた軸部５３と、前記軸部５３に接続された掛け部５１と、を有する。
保持桿５２は、中空棒状の部材（例えば管材）から構成されており、直線状である。保持桿５２の形成材料は、特に限定されず、例えば、鉄などの金属管、硬質合成樹脂製の管などを用いることができる。
軸部５３は、例えば、中実棒状の部材（例えば線材）又は中空棒状の部材（例えば管材）から構成されており、好ましくは直線状の部材である。軸部５３の形成材料は、特に限定されず、例えば、鉄などの金属線材又は金属管、硬質合成樹脂製の線材又は管などを用いることができる。
軸部５３の外径は、保持桿５２の内径よりも小さく、軸部５３は、保持桿５２内に挿通されている。従って、軸部５３は、保持桿５２の前後方向にスライド移動可能（出退可能）である。
保持桿５２の一部分（例えば前方部）には、軸部５３の動きを止めるための軸部固定部５４が設けられている。図示例では、軸部固定部５４は、保持桿５２に螺合された軸部固定用ネジから構成されている。軸部固定用ネジを締め付けていくことにより、その先端部が軸部５３の周面に当たり、軸部５３が保持桿５２の内面に強く押圧される。この軸部固定用ネジの締め付けにより、掛け部材５の軸部５３が保持桿５２に対して固定され、出退不能となる。軸部固定用ネジを緩めることにより、軸部５３を保持桿５２から前側に引き出す又は押し込むことができる。
なお、軸部５３の周面には、前記軸部固定用ネジの先端部が嵌まる凹部５５（座繰り部）が軸芯方向に所定間隔を開けて複数形成されている。
【００２０】
軸部５３には、衣類を掛けるための掛け部５１が設けられている。掛け部５１は、例えば、架橋桿５６を介して軸部５３に吊り下げられ、軸部５３の下側に配置されている。掛け部５１及び架橋桿５６は、中実棒状の部材（例えば線材）又は中空棒状の部材（例えば管材）を折り曲げ加工したものから一体的に形成されている。架橋桿５６の両端部を軸部５３の前端部及び後端部に設けられた孔部に掛止することにより、掛け部５１が軸部５３に取り付けられている。
好ましくは、掛け部５１と軸部５３は、略平行とされている。
【００２１】
かかる掛け部５１を有する軸部５３が挿通された保持桿５２は、連結部５７を介して支持部材２の主桿３に連結されている。連結部５７は、例えば、板状であり、その一端部が支持部材２の主桿３の下方部に固定され且つその反対端部が保持桿５２の上方部に固定されている。従って、支持部材２と保持桿５２は、連結部５７を介して固定されている。
保持桿５２の軸芯方向（保持桿５２の軸芯方向は、軸部５３の軸芯方向と同じ）と主桿３の軸芯方向が略平行となるように、保持桿５２が連結部５７を介して主桿３に連結されていてもよいが、好ましくは、図示のように、保持桿５２の軸芯方向と主桿３の軸芯方向が鋭角を成すように、保持桿５２が連結部５７を介して主桿３に連結されている。図２を参照して、前記保持桿５２の軸芯方向と主桿３の軸芯方向Ｌの成す角度γは、特に限定されないが、９０度−前記接地面７ａと副桿４の軸芯方向の成す角度α、であることが好ましい。
【００２２】
本発明のスライド式掛止具１は、例えば、図７及び図８に示すように、衣類吊り下げスペースのパイプ９１と壁面９２の間に取り付けて使用される。
衣類吊り下げスペースは、特に限定されず、クローゼット、洋服ダンス、キャビネットなどの収納家具、押入れなどの建築構造物の空間などが挙げられる。衣類吊り下げスペースには、壁面９２（衣類吊り下げスペースの背面となる壁面９２）の前方側で且つ天面の下方側に、ハンガーなどを掛けるパイプ９１が左右方向に架け渡されている。
本発明のスライド式掛止具１は、衣類吊り下げスペースのパイプ９１を利用して設置できるものである。
具体的には、副桿固定部３１を緩めて副桿４の突出長さを調整及び／又は自在ナット４３により第２桿４２の突出長さを調整することにより、支持部材２の軸芯方向長さを概ねパイプ９１と壁面９２の間の距離になるように調整する。好ましくは、支持部材２の軸芯方向長さがパイプ９１と壁面９２の間の距離よりも少し長くなるように調整する。図７及び図８に示すように、衣類吊り下げスペースの壁面９２（衣類吊り下げスペースの背面）とパイプ９１の間にスライド式掛止具１を入れ、パイプ９１の後方側からフック状の係止部６をパイプ９１に引っ掛けた後、当て部７を前方側に押して支持部材２の長さを少し縮めながら（当て部７を前方側に押すと、スプリングバネ４４が縮んで、第２桿４２が第１桿４１に少し押し込まれ、支持部材２の軸芯方向長さが少し小さくなる）、当て部７の接地面７ａを壁面９２に当てる。すると、自在ナット４３と第１桿４１の間のスプリングバネ４４によって第２桿４２が壁面９２側に付勢されるので、当て部７が壁面９２に強く密着するようになる。必要に応じて、自在ナット４３を締め付けていくことにより、スプリングバネ４４の付勢力が増し、当て部７の接地面７ａが壁面９２により強く密着し、スライド式掛止具１をパイプ９１と壁面９２の間に強固に取り付けることができる。
なお、予め支持部材２の軸芯方向長さを調整せずに、係止部６をパイプ９１に掛けた後、パイプ９１と壁面９２の間の距離に応じて、副桿４を主桿３に対して引き出す又は押し込むなどすることにより、支持部材２の軸芯方向長さを調整してもよい。
【００２３】
接地面７ａと副桿４の軸芯方向が鋭角を成すように当て部７が副桿４に取り付けられているので、図８に示すように、支持部材２の軸芯方向（支持部材２の軸芯方向は、副桿４の軸芯方向と同じ）が壁面９２に対して鋭角に傾斜した状態で、スライド式掛止具１が取り付けられる。なお、保持桿５２の軸芯方向と主桿３の軸芯方向の成す角度γが、９０度−前記接地面７ａと副桿４の軸芯方向の成す角度α、である場合には、スライド式掛止具１を取り付けた際に、保持桿５２及び掛け部５１の軸芯方向が水平となる。掛け部５１が水平状であることにより、偏ることなく掛け部５１に衣類などを掛けることができる。
【００２４】
本発明のスライド式掛止具１は、衣類吊り下げスペースのパイプ９１を利用するので、簡単に取り付けることができる。また、副桿固定用ネジを緩めて副桿４を押し込むことにより、パイプ９１と壁面９２の間に取り付けたスライド式掛止具１を、容易に取り外すことができる。
また、係止部６をパイプ９１に係止するので、取り付けたスライド式掛止具１が脱落し難くなる。
特に、接地面７ａと前記副桿４が鋭角を成すように当て部７が副桿４に取り付けられているので、支持部材２が壁面９２側に向かうに従って上向きに傾斜した状態（壁面９２に対して鋭角に傾斜した状態）でスライド式掛止具１を取り付けることができる。支持部材２が壁面９２側に向かうに従って上向き傾斜状でスライド式掛止具１が取り付けられているので、スライド式掛止具１の掛け部５１に衣類などを多く掛けて大きな荷重が加わっても、スライド式掛止具１が下方に落ち難くなる。
また、軸部５３に設けられた掛け部５１は、支持部材２に対してスライド可能であるため、軸部固定部５４を緩めて軸部５３を引き出すことにより、図９に示すように、掛け部５１を前方に引き出すことができる。衣類吊り下げスペースから引き出した掛け部５１に衣類（ネクタイなど）などを掛けた後、掛け部５１を後方に押し込んで、衣類吊り下げスペースに収納することができる。
【００２５】
［第２実施形態］
以下、本発明の第２実施形態を説明するが、その説明に於いては、主として上述の第１実施形態と異なる構成及び効果について説明し、同様の構成などについては、用語又は符号をそのまま援用し、その構成の説明を省略する場合がある。
【００２６】
第２実施形態のスライド式掛止具１は、掛け部材５が側面視で角度調整可能に支持部材２に取り付けられていること及び当て部７が棒状であることにおいて第１実施形態と相違する。
図１０乃至図１４を参照して、本実施形態のスライド式掛止具１も、支持部材２と、支持部材２にスライド可能に設けられた掛け部５１を有する掛け部材５と、を有する。
支持部材２には、衣類吊り下げスペースのパイプ９１に係止可能な係止部６と、衣類吊り下げスペースの壁面９２に当てる当て部であって前記係止部６とは反対側に設けられた当て部７と、が設けられている。
【００２７】
本実施形態では、当て部７は、上記第１実施形態と同様に板状でもよいが、好ましくは、棒状とされている。
当て部７は、棒状の本体部７５と、本体部７５の上下端部に嵌合された滑り止め用のゴムキャップ７６と、を有する。
棒状の本体部７５（棒状の当て部７）は、中実棒状の部材（例えば線材）又は中空棒状の部材（例えば管材）から構成されており、副桿４の後端部（支持部材２の後端部）に設けられている。当て部７は、副桿４の後端部に自転可能に取り付けられていてもよく、或いは、固定的に取り付けられていてもよい。なお、自転可能に取り付けられているとは、副桿４の軸周りに回転できるように、当て部７が副桿４に取り付けられていることをいう。
図示例では、棒状の本体部７５は、副桿４の軸芯方向に対して直交するように配置され、副桿４の後端部に固定されている。
【００２８】
上記第１実施形態では、掛け部材５は、支持部材２に対して角度変更できないように固定的に設けられているが、本実施形態では、角度変更可能に設けられている。
【００２９】
具体的には、支持部材２の主桿３の下方部には、接合部８１が下向きに突設され、掛け部材５の保持桿５２の上方部には、被接合部８２が上向きに突設されている。
図１５も参照して、接合部８１及び被接合部８２には、それぞれ挿通孔８１１，８２１が穿設されている。この挿通孔８１１，８２１は、支持部材２の軸芯方向（及び掛け部材５の軸部５３の軸芯方向）に対して直交する方向に向けて穿設されている。
【００３０】
また、接合部８１の一方面及び被接合部８２の一方面には、それぞれ、前記挿通孔８１１，８２１の周囲に一定間隔を開けて山部及び谷部が交互に配置されたギア部８１２，８２２が周設されている。この接合部８１の一方面及び被接合部８２の一方面に形成されたギア部８１２，８２２は、いわゆるクラウンギアの如き歯車状である。
接合部８１の一方面と被接合部８２の一方面を重ね合せ、接合部８１の反対面側から挿通孔８１１，８２１にボルト８３を挿通し且つ被接合部８２の反対面側からそのボルト８３（締付け具）にナット８４を締め付けることにより、接合部８１と被接合部８２が接合される。前記接合部８１と被接合部８２の一方面同士を重ね合せて締め付けると、互いのギア部８１２，８２２の山部と谷部が噛み合い、接合部８１と被接合部８２は、ボルト８３の軸周りに回動することなく、強く接合される。他方、ボルト８３を緩めることにより、接合部８１に対して被接合部８２をボルト８３の軸周り（挿通孔８１１，８２１の軸周り）に回動させることができる。
掛け部材５の保持桿５２は、接合部８１と被接合部８２を介して支持部材２の主桿３に取り付けられているので、ボルト８３（締付け具）を緩めることにより、掛け部材５の保持桿５２は、側面視で支持部材２の主桿３に対して回動させることができる。従って、掛け部材５は、側面視で支持部材２に対して回動させることができ、側面視で、掛け部材５の軸部５３の軸芯方向と支持部材２の主桿３の軸芯方向の成す角度を適宜調整することができる。
【００３１】
本実施形態のスライド式掛止具１は、図１６に示すように、上記第１実施形態と同様に、衣類吊り下げスペースのパイプ９１と壁面９２の間に取り付けて使用することができる。
図１６を参照して、衣類吊り下げスペースの壁面９２（背面）とパイプ９１の間にスライド式掛止具１を入れ、パイプ９１の後方側からフック状の係止部６をパイプ９１に引っ掛けた後、当て部７を壁面９２に当てることにより、支持部材２を、パイプ９１と壁面９２の間において突っ張るように取り付けることができる。
【００３２】
また、図１７に示すように、衣類吊り下げスペースの入り隅部９４（壁面９２と天面９３によって画成される入り隅部９４）に棒状の当て部７を当てることにより、支持部材２を、パイプ９１と入り隅部９４の間において突っ張るように取り付けることもできる。特に、当て部７が棒状であるため、入り隅部９４の角部に沿わせて当て部７を当てることができ、スライド式掛止具１をパイプ９１と入り隅部９４の間に安定的に取り付けることができる。
このように入り隅部９４とパイプ９１の間に、スライド式掛止具１を取り付けることにより、スライド式掛止具１は、使用中に脱落するおそれがない。
本実施形態のスライド式掛止具１は、パイプ９１と壁面９２の間、或いは、パイプ９１と入り隅部９４の間に簡単に取り付けることができ、また、その取り外しも容易に行える。
【００３３】
さらに、入り隅部９４に当て部７を接触させてスライド式掛止具１を取り付けた場合には、支持部材２が比較的大きく傾斜するが、掛け部材５が側面視で支持部材２に対する角度を調整できるように支持部材２に取り付けられているので、掛け部材５を支持部材２に対して回動させることにより、図１７に示すように、掛け部材５の掛け部５１を水平状に設置できる（なお、掛け部材５の回動については、図１６と図１７の掛け部材５の傾斜角度差を参照）。
【００３４】
［他の実施形態］
上記各実施形態では、掛け部５１は、１本の棒状からなるが、これに限定されず、様々な形態に変更できる。
例えば、図１８に示すように、掛け部材５が、幾つかの掛け桿５８と吊り下げ部５９を有しているものなどでもよい。なお、図１８では、第２実施形態のスライド式掛止具１に、掛け桿５８、吊り下げ部５９及び掛け部５１を有する掛け部材５が設けられた場合を例示的に表している。
【００３５】
また、上記各実施形態では、第２桿４２が自在ナット４３とスプリングバネ４４によって後方側に付勢されるように副桿４が構成されているが、これに限定されず、副桿４が主桿３の後方側に付勢されるように、主桿３の内部に副桿４を付勢するスプリングバネなどの付勢部材を設けてもよい（図示せず）。このように副桿４が主桿３の後方側に付勢される構造としては、従来公知の突っ張り構造（いわゆる突っ張り棒の構造）を採用できる。
また、上記様々な実施形態から選ばれる２つ以上の構成を適宜組み合わせてもよく、或いは、上記様々な実施形態から選ばれる１つ又は２つ以上の構成を、それ以外の実施形態に置換してもよい。例えば、第２実施形態で示した側面視で角度調整可能な掛け部材５を第１実施形態の掛け部材５に適用してもよい。
【符号の説明】
【００３６】
１  スライド式掛止具
２  支持部材
３  主桿
４  副桿
５  掛け部材
５１  掛け部
６  係止部
７  当て部
７ａ  当て部の接地面
９１  衣類吊り下げスペースのパイプ
９２  衣類吊り下げスペースの壁面
【図１】
2020168264.tif 000003
【図２】
2020168264.tif 000004
【図３】
2020168264.tif 000005
【図４】
2020168264.tif 000006
【図５】
2020168264.tif 000007
【図６】
2020168264.tif 000008
【図７】
2020168264.tif 000009
【図８】
2020168264.tif 000010
【図９】
2020168264.tif 000011
【図１０】
2020168264.tif 000012
【図１１】
2020168264.tif 000013
【図１２】
2020168264.tif 000014
【図１３】
2020168264.tif 000015
【図１４】
2020168264.tif 000016
【図１５】
2020168264.tif 000017
【図１６】
2020168264.tif 000018
【図１７】
2020168264.tif 000019
【図１８】
2020168264.tif 000020